(57)【要約】      （修正有）【課題】球体を利用して行なう、足裏のマッサージに便利な多機能マッサージ器具を提供する。【解決手段】天板２を有する中空直方体の箱型ケース１を設け、その天板に長方形の開口部を設ける。開口部に球体が前後に移動ができる上部が開放された長方形の球体を入れる箱３を嵌め込み、凹部を形成する。さらに、長方形の開口部をふさぐ蓋５を設け、その上面に箱型ケースの横幅と同じ長さの蒲鉾型曲面をもつ凸部６を固着し、凹部をふさぐ蓋４を形成し、さらに、凹部に着脱できるボール固定枠を設ける。以上の構成により、球体を利用した多機能マッサージ器具を形成する。【選択図】図１
0003173662.tif 000002
【実用新案登録請求の範囲】
【請求項１】
（１）中空直方体の箱型ケースを設け、その上面に長方形の開口部を設ける。
（２）開口部に球体を入れる箱を嵌め込み、球体が前後に移動可能な凹部を形成する。
以上のことを特徴とする球体を利用した多機能マッサージ器具。
【請求項２】
中空直方体の箱型ケースの凹部をふさぐ蓋を設け、この蓋の上面に蒲鉾型曲面をもつ凸部を設け、前記中空直方体の箱型のケースと、この蓋とを組み合わせてなる請求項１記載の球体を利用した多機能マッサージ器具。
【請求項３】
中空直方体の箱型ケースの凹部に着脱可能なボール固定枠を設け、前記中空直方体の箱型のケースと、このボール固定枠を組み合わせてなる請求項１または請求項２記載の球体を利用した多機能マッサージ器具。
【考案の詳細な説明】
【技術分野】
【０００１】  この考案は、足裏のマッサージを行なう際に便利な、球体を利用した多機能マッサージ器具に関する。
【背景技術】
【０００２】  従来、上述のような球体を利用して足裏のマッサージを行なう器具は見当たらない。
【考案が解決しようとする課題】
【０００３】  従来、球体を利用して足裏のマッサージを行なう際、床面に球体を置き、その上に片足を乗せて立ち、球体を足裏で前後に転がして足裏のマッサージを行っているのが一般的である。しかし、これには以下のような問題がある。
すなわち、球体は床面を前後左右に自由に転がりうるので、時にはこの球体が運動範囲の外に転がり出たり、身体のバランスが崩れ、不安定になったりすることがある。
本考案は、以上のような従来からの球体を利用して足裏のマッサージを行なう際の問題を解決するために考案されたもので、さらに足裏のマッサージをする青竹踏み運動、踏台昇降運動、腰部に指圧と同様な圧力を加えることも可能な多機能マッサージ器具を提供することを目的として考案されたものである。
【課題を解決するための手段】
【０００４】  課題を解決するための手段として本考案は、以下の構成とした。
１．天板を有する中空直方体の箱型ケースを設け、その天板に長方形の開口部を設けた。
２．開口部に球体が前後に移動ができる上部が開放された長方形の球体を入れる箱を嵌め込み、凹部を形成した。
３．長方形の開口部をふさぐ蓋を設け、その上面に箱型ケースの横幅と同じ長さの蒲鉾型曲面をもつ凸部を固着し、凹部をふさぐ蓋を形成した。
４．凹部に着脱できるボール固定枠を設けた。
以上の構成からなる球体を利用した多機能マッサージ器具である。
【考案の効果】
【０００５】本考案は下記の効果を有する。
１．球体を足裏で前後に転がして足裏のマッサージをする際，転がる範囲が限られているので、球体が運動範囲の外に転がり出るのを防止できる。
２．球体が左右に転がらないので、身体のバランスが崩れることはない。
３．中空直方体の箱型ケースの凹部をふさぐ蓋上面の蒲鉾型曲面をもつ凸部により青竹踏みと同じ運動効果が期待できる。
４．市販されている踏み台昇降運動の器具とケースの高さが同じなので、踏み台昇降運動の台としても使用できる。
【考案を実施するための最良の形態】
【０００６】  以下、本考案の実施形態について説明する。
図１において、１は中空直方体の箱型ケース、２は箱型ケースの天板でその一部に長方形の開口部がある、３は球体を入れる長方形の箱でその上面は開放されており、球体の半径と同じ深さである、この箱を天板の開口部に嵌め込んだとき、その上辺は天板の下辺までの高さとなり凹部をふさぐ蓋の受け台となる、４は凹部をふさぐ蓋、５は蓋板、６は蓋板の上面に固着した蒲鉾型曲面をもつ凸部でその長さは直方体箱型ケースの横幅と同じである。この蓋を箱型ケースに嵌め込んだとき、蓋上面と天板上面は同一平面となる。
以上にて蓋をつけた中空直方体の箱型ケースが構成される。【０００７】  本考案の使用に際しては、球体である硬式テニスボールを実施例として説明する。
図１２に示すように、ケースの凹部をふさぐ蓋を外し、凹部に硬式テニスボールを入れ、片足は箱型ケースの天板上に、もう一方の足は硬式テニスボールの上に乗せ、足裏を前後に動かし硬式テニスボールを転がしてマッサージを行なう際、ボールは凹部内を転がるので、転がる範囲が限定されて効果的に足裏をマッサージすることができる。なお、このマッサージは立っても椅子に座っても可能である。また、ボールを取出し、図１３に示すように蓋を凹部に戻して蓋上面の凸部に両足を乗せ、青竹踏み運動を行なうことができ、さらに凸部を身体に対して９０度になるようにケースを向け、両足で箱型ケースに昇り降りをすることで踏み台昇降運動も行なうこともできる。【０００８】  図１４は本考案の他例をしめすもので、従来、硬式テニスボール２個をガムテープ等で押さえ離れないようにして、その上に仰向けに寝て腰部をのせ、腰に圧力を加えることを行なっているのが一般的である。本考案では凹部をふさぐ蓋を外し、７のボール固定枠を凹部に嵌めこみ、硬式テニスボール２個を入れ、腰部を乗せて体圧を加えても、２個のボールはボール固定枠のために離れず、前後左右に転がることも阻止できるので、圧力を効果的に腰部に加えることができる。このボール固定枠は長方形板の中央部を角型に切除したものであり、前記の中空直方体の箱型ケースに収まるサイズである。なお切除部は、２個のボールを入れることによりボールが固定される大きさである。
以上のごとく本考案は多様な使い方のできる球体を利用したマッサージ器具を提供することができる。
【図面の簡単な説明】
【０００９】
【図１】本考案の構成説明斜視図
【図２】本考案の平面図（凹部をふさぐ蓋を取外し時）
【図３】本考案の正面図（凹部をふさぐ蓋を取外し時）
【図４】本考案の左側面図（凹部をふさぐ蓋を取外し時）
【図５】本考案の凹部をふさぐ蓋の平面図
【図６】本考案の凹部をふさぐ蓋の正面図
【図７】本考案の凹部をふさぐ蓋の右側面図
【図８】本考案のボール固定枠の斜視図
【図９】本考案のボール固定枠の平面図
【図１０】本考案のボール固定枠の正面図
【図１１】本考案のボール固定枠の右側面図
【図１２】本考案のボールで足裏マッサージ使用状態説明図（平面視）
【図１３】本考案の青竹踏み運動使用状態説明図（平面視）
【図１４】本考案の腰部加圧使用状態説明図（平面視）
【符号の説明】
【００１０】１  箱型ケース
２  天板
３  球体を入れる箱
４  凹部をふさぐ蓋
５  蓋板
６  蒲鉾型曲面をもつ凸部
７  ボール固定枠
８  硬式テニスボール
【図１】
0003173662.tif 000003
【図２】
0003173662.tif 000004
【図３】
0003173662.tif 000005
【図４】
0003173662.tif 000006
【図５】
0003173662.tif 000007
【図６】
0003173662.tif 000008
【図７】
0003173662.tif 000009
【図８】
0003173662.tif 000010
【図９】
0003173662.tif 000011
【図１０】
0003173662.tif 000012
【図１１】
0003173662.tif 000013
【図１２】
0003173662.tif 000014
【図１３】
0003173662.tif 000015
【図１４】
0003173662.tif 000016